(57)【要約】【課題】ストッパレバー拘束時における動作信頼性を向上させた検銭装置の提供を目的とする。【解決手段】第１ピン１と、回転自在なインサートレバー２に立設され、第１ピン１に対して相対移動して所定径のコイン３の通過を許可する第２ピン４と、回転自在なロックレバー５に立設され、前記コイン３の通過路に配置される第３ピン６とを有し、第２ピン４の移動時におけるインサートレバー２の回転によりロックレバー５を回転駆動して前記第３ピン６をコイン３通過可能位置に退避させてコイン３の通過を許容する検銭装置であって、前記インサートレバー２によるロックレバー５の回転駆動は、インサートレバー２に装着されるバネ体７を介して行われる。【選択図】　図１
2004094469.tif 000002
【特許請求の範囲】
【請求項１】
第１ピンと、
回転自在なインサートレバーに立設され、第１ピンに対して相対移動して所定径のコインの通過を許可する第２ピンと、
回転自在なロックレバーに立設され、前記コインの通過路に配置される第３ピンとを有し、
第２ピンの移動時におけるインサートレバーの回転によりロックレバーを回転駆動して前記第３ピンをコイン通過可能位置に退避させてコインの通過を許容する検銭装置であって、
前記インサートレバーによるロックレバーの回転駆動は、インサートレバーに装着されるバネ体を介して行われる検銭装置。
【発明の詳細な説明】
【０００１】
【発明の属する技術分野】
本発明は、検銭装置に関するものである。
【０００２】
【従来の技術】
コインロッカー等において、所定径のコインのみの通過を許容するようにした従来例としては、例えば、特許文献１記載のものが知られている。
【０００３】
この従来例において、検銭装置は、図５に示すように、ベースプレート８上に装着されるスライドレバー９とロックレバー５とを有する。スライドレバー９は、ベースプレート８に対して並進移動自在であり、裏面に第１ピン１が突設される。また、スライドレバー９の一端部には、裏面に第２ピン４を突設したインサートレバー２が回転自在に連結され、ロックレバー５には裏面に第３ピン６が、表面に作動ピン１０が立設される。
【０００４】
第１、第２ピン４間の間隔は、所定のコイン３の径寸法よりやや小寸に設定されており、図５に示すように、所定径のコイン３をベースプレート８の裏面から第１、第２ピン４の間から通過させようとすると、第２ピン４が押しのけられてインサートレバー２は枢軸ｃ２周りに図５において反時計回りに回転した後、ロックレバー操作部２ａがロックレバー５の作動ピン１０に衝接し、ロックレバー５を枢軸ｃ５周りに図５において時計回り（矢印Ａ方向）に回転させる。ロックレバー５の回転により当初コイン３の通過経路に位置していた第３ピン６はコイン３の通過経路外に退避し、コイン３の通過が許容される。
【０００５】
これに対し、設定値より小径のコイン３が第１、第２ピン１、４間に挿入された場合には、第２ピン４が動作しないために、第３ピン６はコイン通過路から退避することはなく、コイン３は通過することはできない。また、設定値より大径のコイン３は、図外の硬貨投入口により規制され通過できない。
【０００６】
以上のように、検銭装置は、挿入可能なコイン種を径寸法を基準に選別する機能に加えて、ストッパレバー１１によりロックレバー５の回転を拘束することにより、所定径のコイン３であってもコイン３の挿入を禁止することができ、このような機能は、例えば、所定枚数のコイン３を投入した後、さらにコイン３が投入されないようにする場合に利用される。
【０００７】
【特許文献１】
特公平２−１９５１３号公報
【０００８】
【発明が解決しようとする課題】
しかし、上述した従来例には以下の欠点がある。すなわち、上記ストッパレバー１１がロックレバー５の回転を拘束した状態においても、第２ピン４は移動範囲は小さいものの移動可能であり、かつ、ストッパレバー１１も拘束状態において寸法公差程度の範囲で移動が許容される。この状態でコイン３を無理に第１ピン１と第２ピン４との間に挿入すると、該第１ピン１と第２ピン４との間にコイン３が噛み込んだ状態で挟まり、取り除くことも、通過させることもできなくなってしまうという問題がある。
【０００９】
本発明は、以上の欠点を解消すべくなされたものであって、ストッパレバー拘束時における動作信頼性を向上させた検銭装置の提供を目的とする。
【００１０】
【課題を解決するための手段】
本発明によれば上記目的は、図１に示すように、
第１ピン１と、
回転自在なインサートレバー２に立設され、第１ピン１に対して相対移動して所定径のコイン３の通過を許可する第２ピン４と、
回転自在なロックレバー５に立設され、前記コイン３の通過路に配置される第３ピン６とを有し、
第２ピン４の移動時におけるインサートレバー２の回転によりロックレバー５を回転駆動して前記第３ピン６をコイン３通過可能位置に退避させてコイン３の通過を許容する検銭装置であって、
前記インサートレバー２によるロックレバー５の回転駆動は、インサートレバー２に装着されるバネ体７を介して行われる検銭装置を提供することにより達成される。
【００１１】
検銭装置の第１ピン１と第２ピン４とは相対移動して所定径のコイン３の通過を許容するように配置され、径寸法が所定径より大径のコイン３は、図外の所定径と同寸法に設定された硬貨投入口によって規制されて当該コイン３の通過を拒否するのに対し、コイン３が所定径である場合には、硬貨投入口を通過して第２ピン４の相対移動に伴ってロックレバー５が回転し、第３ピン６がコイン３通過可能位置まで退避してコイン３の通過を許容する。これに対し、コイン３の径が所定径より小径の場合には、ロックレバー５は回転することなく、第３ピン６は当初位置に留まり、結果、コイン３は通過することはできない。
【００１２】
また、インサートレバー２によるロックレバー５の回転駆動は、インサートレバー２に装着されるバネ体７を介して行われるために、インサートレバー２は、ロックレバー５を回転させる回転角度より、バネ体７の撓み許容量だけオーバーストロークすることができる。この結果、ロックレバー５を拘束して第１ピン１と第２ピン４との間に所定径のコイン３を無理に挿入した場合であっても、インサートレバー２はオーバストロークして第２ピン４と第１ピン１との間の間隔を広げることができるために、コイン３が噛み込むことがなくなる。
【００１３】
【発明の実施の形態】
図２にコインロッカー用のコイン投入装置として構成された本発明の実施の形態を示す。コイン投入装置は、正面壁１２ａに前面板１２ｂが固定された機枠１２と、機枠１２の側壁に固定される検銭装置Ｋと、検銭装置Ｋの下方において機枠１２の側壁に固定されるカバープレート１３とを有する。
【００１４】
後述する検銭装置Ｋのベースプレート８、およびカバープレート１３と機枠１２の側壁との間には、コイン３の通過スペースが形成され、正面壁１２ａに開設された図外のコイン投入開口から投入されたコイン３は上記通過スペースを通って落下しながら後方に移動する。
【００１５】
検銭装置Ｋは、図１に示すように、ベースプレート８に上下方向並進移動自在で、かつ、コイルバネ９ａにより下方ストローク終端側に付勢されて連結されるスライドレバー９と、ベースプレート８に回転自在に軸支されるロックレバー５とを有し、スライドレバー９の下方端部にはインサートレバー２が回転自在に軸支される。
【００１６】
上記スライドレバー９とインサートレバー２には、上記コイン３の通過スペース側に第１、第２ピン１、４が各々立設される。スライドレバー９に立設される第１ピン１とインサートレバー２に立設される第２ピン４とは上記コイン投入開口の近傍に配置される。これら第１、第２ピン１、４の間隔は、図１に示すように、予め決められた種類のコイン３の直径よりやや小寸に設定されており、このコイン３を第１ピン１と第２ピン４との間を通過させようとすると、第２ピン４が下方に押しやられる結果、インサートレバー２は、枢軸ｃ２を挟んで第２ピン４に対して反対端側が上方に移動するように反時計方向に回転する。なお、図１において９ｂは第２ピン４が第１ピン１に接近する方向のインサートレバー２の回転ストローク終端を決定するためにスライドレバー９に形成されるストッパを示す。
【００１７】
また、上記インサートレバー２には、コイルバネ１４が装着される。このコイルバネ１４は２本の脚部を有し、コイル部において枢軸ｃ２周りに巻装される。
【００１８】
一方、ロックレバー５は、先端部にコイン３の通過スペース側に突出する第３ピン６を備える。ベースプレート８には、上記第３ピン６の揺動ストロークを規制するための円弧状開口８ａが開設されるとともに、ロックレバー５はトーションスプリング５ａにより、第３ピン６が揺動ストローク下方終端に位置するように付勢される。この第３ピン６は、上記第１、第２ピン１、４より中央寄りで、かつ、下方ストローク終端位置においては、第１、第２ピン１、４を結ぶ線分におろした垂線より下方領域に位置しており、所定径より径寸法の小さなコイン３の侵入を規制する。
【００１９】
このロックレバー５の表面には、作動ピン１０が立設される。作動ピン１０は、第３ピン６が下方ストローク終端にある際に、ロックレバー５の枢軸ｃ５より前方で、かつ、上記トーションスプリング１４の一方の脚部（バネ体７）の回転範囲内に位置する。
【００２０】
したがってこの実施の形態において、所定径のコイン３が第１ピン１と第２ピン４との間に挿入され、インサートレバー２が反時計方向に回転すると、バネ体７が作動ピン１０を押し上げ、ロックレバー５を図１において時計回りに回転させる。ロックレバー５が回転した状態で、このロックレバー５上の第３ピン６は、投入コイン３の中心から挿入方向に引いた移動方向線より上方に位置し、この後、コイン３をさらに押し込むと、図３に示すように、第３ピン６はコイン３から回転分力を受けてロックレバー５がさらに回転し、コイン３の通過を許容する。
【００２１】
さらに、コイン投入装置は、上記ロックレバー５の移動を規制するストッパレバー１１を備える。ストッパレバー１１は、カバープレート１３に装着され、図２に示すように、上記ロックレバー５の端部に形成される被拘束部５ｂに端部が当接する拘束位置と、図１に示すように、拘束位置から枢軸ｃ１１周りに時計回りに被拘束部５ｂとの当接状態が解除される非拘束位置との間で回転する。このストッパレバー１１は、図２に示すように、引張スプリング１１ａにより非拘束位置側に付勢される。
【００２２】
また、ストッパレバー１１の他端には、シリンダストッパ部１１ｂが形成される。シリンダストッパ部１１ｂは、ストッパレバー１１が非拘束位置にある場合には、シリンダ錠１５に連結される回転レバー１５ａの回転範囲内に侵入してシリンダ錠１５への施錠操作を禁止し、図２に示すように拘束位置において回転レバーの回転範囲内から退避する。
【００２３】
さらに、カバープレート１３には、落下防止プレート１６が装着される。落下防止プレート１６には、ストッパピン１６ａが立設さされる。この落下防止プレート１６は、ストッパピン１６ａがコイン３の通過スペース内に突出するコイン停止位置と通過スペースから退避する退避位置との間で移動可能であり、コイン停止位置にある場合には、検銭装置Ｋを通過したコイン３はストッパピン１６ａ上に所定個数縦姿勢で収納される。投入コイン３が所定数（図２においては２個）に達すると、最上位置のコイン３がストッパレバー１１の検知ピン１１ｃを押し付けてストッパレバー１１を拘束位置側に移動させる。
【００２４】
したがってこの実施の形態において、所定数量のコイン３が投入されるとストッパレバー１１により検銭装置Ｋのロックレバー５をブロックするために、インサートレバー２の移動が規制される。この結果、第２ピン４の移動が禁止されるために、所定のコイン種であってもコイン３を投入することはできない。
【００２５】
この状態で図４（ａ）に示すように、第２ピン４を無理に移動させてコイン３を第１ピン１と第２ピン４との間に挟み込んでも、バネ体７は弾性変形可能であるために、図４（ｂ）に示すように、一旦第２ピン４を離隔方向に移動させることができ、コイン３が噛み込んで取り除くことができないという問題が生じない。この場合コイン３は、第３ピン６に当接し、コイン３の投入は阻止される。
【００２６】
以上のようにして所定数のコイン３を投入することによりシリンダ錠１５への操作が可能となり、この後、シリンダ錠１５を施錠方向に回転させ、さらに、施錠キーを抜去すると、落下防止プレート１６が退避位置に移動し、貯留されたコイン３は、例えばコイン３貯留ボックスに落下する。
【００２７】
【発明の効果】
以上の説明から明らかなように、本発明によれば、ストッパレバー拘束時における動作信頼性が向上する。
【図面の簡単な説明】
【図１】本発明を示す図である。
【図２】コインロッカー用のコイン投入装置を示す図である。
【図３】図１の動作状態を示す図である。
【図４】本発明の動作を示す図である。
【図５】従来例を示す図である。
【符号の説明】
１　　　　第１ピン
２　　　　インサートレバー
３　　　　コイン
４　　　　第２ピン
５　　　　ロックレバー
６　　　　第３ピン
７　　　　バネ体
【図１】
2004094469.tif 000003
【図２】
2004094469.tif 000004
【図３】
2004094469.tif 000005
【図４】
2004094469.tif 000006
【図５】
2004094469.tif 000007